(57)【要約】【課題】  鼻毛カッターの大型化を回避しながらも、切断した鼻毛の切屑の鼻孔内への飛散を防止できる鼻毛カッターを提供する。【解決手段】  鼻毛を切断する刃部２を設けてなる鼻毛カッターにおいて、上記刃部２の可動刃３１を駆動させるモータ８と、上記モータ８にて駆動されて刃部２で切断された鼻毛の切屑を本体１内に吸引するファン７とを備える。【選択図】        図１
2007044081.tif 000002
【特許請求の範囲】
【請求項１】
鼻毛を切断する刃部を設けてなる鼻毛カッターにおいて、上記刃部の可動刃を駆動させるモータと、上記モータにて駆動されて刃部で切断された鼻毛の切屑を本体内に吸引するファンとを備えたことを特徴とする鼻毛カッター。
【請求項２】
モータにて回転させる可動刃の回転速度とファンの回転速度とを違えたことを特徴とする請求項１記載の鼻毛カッター。
【請求項３】
刃部からファンに至る空気流路内に鼻毛の切屑を捕集するフィルタを着脱自在に設けたことを特徴とする請求項１または２記載の鼻毛カッター。
【請求項４】
鼻毛の切屑の空気流路を筒体で構成すると共に筒体の一端に設けた開口を空気流路の吸入口とし、この筒体にて使用者の鼻孔に挿入する刃部の外殻体を構成し、筒体の側面に上記吸入口の縁部から切り込んだ鼻毛導入部を形成し、上記鼻毛導入部の縁部で構成した固定刃と、固定刃の内面に回転摺動する可動刃とで、鼻毛導入部から上記筒体である外殻体内の空気流路に導入された鼻毛を切断するようにしたことを特徴とする請求項１乃至３のいずれかに記載の鼻毛カッター。
【発明の詳細な説明】
【技術分野】
【０００１】
本発明は、鼻毛カッターに関するものである。
【背景技術】
【０００２】
従来から、使用者の鼻孔に刃部を挿入して鼻毛を切断する鼻毛カッターが知られている（たとえば特許文献１参照）。ここで、刃部で切断された鼻毛の切屑が鼻孔内に飛散してしまうと、鏡を用いても鼻孔内は使用者から見えにくいことから、上記鼻毛の切屑の鼻孔内からの除去は容易にはできずに異物として鼻孔内に残ってしまうのであり、このように容易に除去できない鼻毛の切屑が異物として鼻孔内面の粘膜に付着してしまうと、鼻毛の切屑にて鼻孔内面の粘膜が刺激され続けるのみならず、鼻汁が多量の分泌されたり鼻糞が生成されることにもなり、良好な使用感を得ることができないものであった。
【特許文献１】特開平０９−１５４６２６号公報
【発明の開示】
【発明が解決しようとする課題】
【０００３】
本発明は上記の従来の問題点に鑑みて為したものであって、鼻毛カッターの大型化を回避しながらも、切断した鼻毛の切屑の鼻孔内への飛散を防止できる鼻毛カッターを提供することを課題とするものである。
【課題を解決するための手段】
【０００４】
上記課題を解決するために本発明の請求項１に係る鼻毛カッターは、鼻毛を切断する刃部２を設けてなる鼻毛カッターにおいて、上記刃部２の可動刃３１を駆動させるモータ８と、上記モータ８にて駆動されて刃部２で切断された鼻毛の切屑を本体１内に吸引するファン７とを備えたことを特徴とする。これによると、ファン７にて鼻毛の切屑を本体１内に吸引したことで鼻毛の切屑が鼻孔内に飛散することを防止できて鼻毛カッターの使用感を向上できるのであり、また、刃部２の可動刃３１とファン７とを同一のモータ８で兼用して駆動させたため、鼻毛カッターの小型化が図られている。
【０００５】
また、請求項２に係る鼻毛カッターは、請求項１において、モータ８にて回転させる可動刃３１の回転速度とファン７の回転速度とを違えたことを特徴とする。これによると、可動刃３１を鼻毛の切断に適した回転速度にすると共に、ファン７を鼻毛の切屑の吸引に適した回転速度に設定することができるのであり、たとえばファン７を高速回転させて高出力化させればファン７を大型化しなくても高出力を得ることができてファン７の小型化、ひいては鼻毛カッターの小型化を図ることができる。
【０００６】
また、請求項３に係る鼻毛カッターは、請求項１または請求項２において、刃部２からファン７に至る空気流路５内に鼻毛の切屑を捕集するフィルタ３を着脱自在に設けたことを特徴とする。これによると、鼻毛の切屑をモータ８やファン７に付着する前にフィルタ３にて捕集することができ、またファン７等に邪魔されずにフィルタ３を本体１から取り外して捕集した鼻毛の切屑の除去をできて鼻毛カッターの手入れも簡単にできる。
【０００７】
また、請求項４に係る鼻毛カッターは、請求項１乃至請求項３のいずれかにおいて、鼻毛の切屑の空気流路５を筒体で構成すると共に筒体の一端に設けた開口を空気流路５の吸入口５ａとし、この筒体にて使用者の鼻孔に挿入する刃部２の外殻体３２を構成し、筒体の側面に上記吸入口５ａの縁部から切り込んだ鼻毛導入部３７を形成し、上記鼻毛導入部３７の縁部で構成した固定刃３０と、固定刃３０の内面に回転摺動する可動刃３１とで、鼻毛導入部３７から上記筒体である外殻体３２内の空気流路５に導入された鼻毛を切断するようにしたことを特徴とする。これによると、鼻孔の内面から内方に向けて生える鼻毛の切断及び鼻毛の切屑を外部に逃がさないのに適した筒体で構成した外殻体３２は、同時に空気流路５として安定した空気流を生じさせるのにも適した形状であり、しかして、外殻体３２の内部に切り落とされた鼻毛の切屑を安定した空気流によって空気流路５の下流側に効率良く且つ確実に流すことができるのである。
【発明の効果】
【０００８】
本発明は、鼻毛カッターの小型化を図りつつ、切断した鼻毛の切屑の鼻孔内への飛散を防止して良好な使用感を使用者に付与できるといった利点を有する。
【発明を実施するための最良の形態】
【０００９】
以下、本発明を添付図面に示す実施形態に基いて説明する。
【００１０】
図１乃至図６には本発明の鼻毛カッターの一実施例が示してある。鼻毛カッターは、使用者が把持した本体１の一端に設けた刃部２を、使用者の鼻孔に挿入して鼻毛を切断するようにした電気機器である。以下、刃部２を設けた本体１の一端側を上方（図４中矢印Ａ）とし、上記本体１の一端側と反対側を下方（図４中矢印Ｂ）として説明する。
【００１１】
本体１は、図４のように、上方から、刃部２、フィルタ３、把持部となる主体部４とが順に配設されて構成されており、この本体１には上下に亙る（すなわち刃部２、フィルタ３、主体部４を貫通する）空気が流れる空気流路５が形成されている。
【００１２】
主体部４は、図１乃至３のように、上方開口を有した有底筒状の上下に長いハウジング６内に、ファン７と、モータ８と、モータ８を駆動するための電池９とが収納されている。詳しくは、ファン７、モータ８は空気流路５内に上側から順に同軸上に配設され、電池９は空気流路５とは外れたモータ８の側方に位置して配設されており、しかしてハウジング６は電池９の配設箇所で側方に突出するような形状に形成されている。側方における電池９とモータ８との隣接方向を前後方向（図４中矢印Ｄ）とし、側方における上記前後方向と上記上下方向とに直交する方向を左右方向（図４中矢印Ｃ）とすると、ハウジング６は、左右方向には略一定の厚みに形成され、前後方向の一端面（後端面）１０は同軸上に配設されたファン７やモータ８に沿うような上下亙って略扁平な直線状面部１０ａで構成され、前後方向の他端面（前端面）１１はモータ８に隣接する電池９を収納するために下方に行く程外側に膨らむような傾斜状面部１１ａを上部に有すると共に下部には電池９に沿うような略扁平な直線状面部１１ｂが連続して形成されている。なお、ハウジング６内の電池９の上方位置には鼻毛カッターのオンオフ切換をするスイッチ１２が防水処理が施されて配設され、ハウジング６の上記傾斜状面部１１ａにはスイッチハンドル１２ａが外方へ露出して配設されている。
【００１３】
詳しくは、上記ハウジング６は、上部ハウジング６ａと、前面ハウジング６ｂと、後部ハウジング６ｃと、内部ハウジング６ｄと、底部ハウジング６ｅとで形成される。上部ハウジング６ａと、前面ハウジング６ｂと、後部ハウジング６ｃと、底部ハウジング６ｅとで囲まれた空間に内部ハウジング６ｄが配設されており、内部ハウジング６ｄにはそれぞれ下方に開口せる電池収納凹所１３とモータ収納凹所１４が前後方向に並んで形成されており、電池収納凹所１３には電池９が収納され、モータ収納凹所１４にはモータ８が収納される。電池収納凹所１３の下端は底部ハウジング６ｅから下方に突出されその下方開口には電池カバー１５が防水が施されて着脱自在に取付けられている。なお、電池収納凹所１３に取付けた電池カバー１５の下端面と底部ハウジング６ｅの下端面とは面一状態にされ、鼻毛カッターを立たせた状態にすることが可能にされている。モータ収納凹所１４にモータ８を収納した状態では、モータ軸１６が上方に突出されており、モータ８の上部がパッキン材１７で覆われると共にモータ収納凹所１４の下方開口をＯリングを介して基台カバー１８にて蓋をされることで防水が施されている。基台カバー１８の中央部には下方に突出するボス１８ａが形成されており、このボス１８ａと底部ハウジング６ｅとがビス止めされている。ここで、内部ハウジング６ｄと、その周囲を覆う上部ハウジング６ａ、前面ハウジング６ｂ、後部ハウジング６ｃ及び底部ハウジング６ｅとの間の空間が主体部４に形成された空気流路５を構成する。
【００１４】
上部ハウジング６ａに形成したハウジング６の上方開口は刃部２の空気流路５との接続口となる部位であるが、この部位には鼻毛の切屑を集めるフィルタ３が着脱自在に取付けられている。このフィルタ３は、周部にハウジング６に連続する筒状の外枠部３ａと外枠部３ａの内部にリブ３ｃを介して連結した筒状の内枠部３ｂとを有し、外枠部３ａと内枠部３ｂとの間に鼻毛の切屑を捕集する網部３ｄを形成して構成されている。フィルタ３をハウジング６の上方開口に位置させて上下方向の軸廻り方向に回転させることで、外枠部３ａの下部３ａ２の外縁面に設けた係合突起１９がハウジング６の上方開口の内縁面に設けた係合溝２０に係脱されるバヨネット締結構造にて着脱自在に係合される（図６）。なお、ハウジング６の上方開口に取付ける外枠部３ａの下部３ａ２は、後述の外殻体３３の取付枠部３４を取付ける外枠部３ａの上部３ａ１よりも径が大きく形成されている。
【００１５】
モータ収納凹所１４から上方に突出したモータ８のモータ軸１６にはピニオンギア２１が取付けられ、ピニオンギア２１には上記モータ軸１６と同軸上に金属製の駆動軸２２が取付けられている。この駆動軸２２はモータ軸１６と一体に回転するものであり、後述のファン７の軸受４６やフィルタ３の内枠部３ｂ内を貫くと共に、ハウジング６の上方開口縁からリブ２３を介して一体に形成された軸受４５に回転自在に支持された状態で、ハウジング６の上方に突出されており、この駆動軸２２の上端部には後述する刃部２の内部体３３を取付けるための継手２９が圧入されて取付けられている。
【００１６】
ファン７は、周縁部に羽根を多数列設してなる遠心ファン７ａがファン基台７ｂにヒートシールにて一体に固定されて形成されており、ファン基台７ｂの中央部に設けた軸受４６を介して駆動軸２２に対して回転自在に取り付けられている。つまりモータ軸１６や駆動軸２２とは回転を異にするものであって、モータ８とは出力側と入力側との回転速度と違える速度変換部２４を介して連結されている。詳しくは、速度変換部２４は、モータ軸１６に取付けたピニオンギア２１と、ファン基台７ｂに設けたファン歯車部２５と、上記ピニオンギア２１に噛合する第１歯車２６と上記ファン歯車部２５に噛合する第２歯車２７とを同軸一体に形成してハウジング６内に回転自在に取付けられた中間ギア２８とで構成されている。本例では、ピニオンギア２１の歯数は２２枚であり、中間ギア２８の第１歯車２６の歯数は１２枚であり、中間ギア２８の第２歯車２７の歯数は１９枚であり、ファン歯車部２５の歯数は１５枚であり、つまりファン７の回転速度はモータ軸１６の回転速度に比べて２．３２倍程速く回転するように設定されている。
【００１７】
刃部２は、図５のように、固定刃３０と可動刃３１で鼻毛を切断する部位であって固定刃３０を有する外殻体３２と可動刃３１を有する内部体３３とで構成されており、外殻体３２は上下に開口する筒体であってフィルタ３の上部に着脱自在に取付けられ、内部体３３は上記継手２９に着脱自在に取付けられていてモータ軸１６と一体に回転するようにされている。詳しくは、外殻体３２は、フィルタ３に取付けられる取付枠部３４の上部に鼻孔に挿入する金属製の鼻孔挿入部３５を一体に取付けてなる筒体で構成されている。鼻孔挿入部３５の上端部分には内方に屈曲する屈曲部３６が形成されて鼻孔内に挿入した鼻孔挿入部３５が鼻孔内に接触しても鼻孔内を傷めないようにされており、鼻孔挿入部３５の側面には上端開口縁からスリット状に切り込んだ鼻毛導入部３７が複数形成されており、上記各鼻毛導入部３７の縁部で固定刃３０が構成されている。また、取付枠部３４は鼻孔挿入部３５よりも径が大きくて下方程広がるように形成され、取付枠部３４の下部の内縁面には係合突起３８（図６）が内方に突設されている。外殻体３２をフィルタ３の上部に位置させて上下方向の軸廻り方向に回転させることで、取付枠部３４の係合突起３８がフィルタ３の外枠部３ａの上部３ａ１の外縁面に設けた係合溝３９に係脱されるバヨネット締結構造にて着脱自在に係合される（図６）。また、内部体３３は、継手２９に外嵌する嵌込み部４０を有し、嵌込み部４０の上方に鼻孔挿入部３５の内部に挿入する挿入突部４１を突設し、この挿入突部４１にはバネ４２を介して可動刃３１が、また複数の振れ止め突起４３が側方に突設されている。モータ８が駆動されると、モータ軸１６及び駆動軸２２と一体に内部体３３は回転するのであり、このとき振れ止め突起４３が外殻体３２の鼻孔挿入部３５の内周面に摺動回転して内部体３３の安定した回転を確保しつつ、可動刃３１が外殻体３２の固定刃３０の内周面に摺動回転するようにされて、鼻毛導入部３７から外殻体３２の内部に導入された鼻毛を可動刃３１と固定刃３０とが共働して挟み込むことで切断するようにされている。
【００１８】
ここで、外殻体３２の内部は空気流路５を構成しており、この外殻体３２の上端開口や鼻毛導入部３７は空気流路５の吸入口５ａを構成している。鼻毛カッターの刃部２の外殻体３２は、鼻孔に挿入し易く、鼻孔の内面から内方に向けて生える鼻毛を外殻体３２の内部に導入した上で切断して鼻毛の切屑を外部に逃がさないのに適する筒形状とされているのであるが、同時にこの筒形状の外殻体３２は、その内部に安定した空気流を生じさせるのにも適した形状であり、つまりファンに７による空気流を安定して形成できる空気流路５を得ることができたものである。そして、鼻毛は上記空気流路５となる外殻体３２の内部に導入されて切断されるから、鼻毛の切屑は上記空気流路５となる外殻体３２の内部に切り落とされることとなり、この切屑は上記安定した空気流にて空気流路５の下流側に効率良く流すことが可能にされているのである。
【００１９】
この空気流路５の排出口５ｂは、主体部４のファン７の側方部分と、主体部４の後端部分とに設けられている。具体的に、ファン７の側方に設けた排出口５ｂ１は、スイッチハンドル１２ａと略反対側の上記ハウジング６の後端面１０に、本体１の上下方向の軸周方向に平行な長い長孔状に形成されている。この排出口５ｂ１によると回転する遠心ファン７ａで起した風を本体１外に効率良く排気することができ、空気流路５に空気流を効率良く生じさせることが可能にされている。また、主体部４の後端部分に設けた排出口５ｂ２は、上記ハウジング６の後端面１０に設けた側排出口５０と、上記ハウジング６の下端面に設けた底排出口５１とで構成されている。底排出口５１は、間に同軸上に配設したファン７やモータ８を介在させてハウジング６の上方開口に略対向するように設けられていて主体部４の後端部分の排出口５ｂ２における主要な排出経路として機能するのであり、また側排出口５０は本体１の上下方向の軸周方向に平行な長い長孔状に形成されていて主体部４の後端部分の排出口５ｂ２における開口面積を増やすための補助的な排出経路として機能している。詳しくは、主体部４の下端部分の空気流路５にはボス１８ａと下部ハウジング６ｅとの間の空間でなる滞留部５２が設けられており、この滞留部５２に上記排出口５ｂ２を構成する側排出口５０と底排出口５１とが臨んで形成されているのである。また、鼻毛カッターの下端面の半分は電池カバー１５が構成し、残りの半分は下部ハウジング６ｅの下端面が構成するが、底排出口５１はこの下部ハウジング６ｅの下端面に設けられている。
【００２０】
つまり、駆動したファン７によると、空気が刃部２の上端開口や鼻毛導入部３７が構成する吸入口５ａから本体１内の空気流路５に導入されると共に、この本体１内の空気流路５を通って各排出口５ｂから本体１外に排出されるようにされているのである。なお、図中４４は鼻毛カッターの収納時等に刃部２を保護するキャップであって外殻体３２に外嵌されて着脱自在にされている。
【００２１】
上記構成の鼻毛カッターは、スイッチハンドル１２ａを操作してスイッチ１２をオンにして電池９からモータ８に給電してモータ８を駆動させると、モータ８のモータ軸１６と一体に回転駆動された可動刃３１と固定刃３０とによって鼻毛導入部３７から空気流路５である外殻体３２の内部に導入された鼻毛を切断するのであり、またこのときモータ８の駆動にて速度変換部２４を介して回転駆動されたファン７によって空気流路５内には空気流が生じるようになるが、上記外殻体３２の筒内部で切り落された鼻毛の切屑はこの空気流に乗って空気流路５の下流側に流されてフィルタ３に捕集される。つまり、鼻毛の切屑は上記空気流によって外殻体３２外、つまり鼻孔内に飛散することが防止されているのであり、鼻孔内に鼻毛の切屑が残ることによる使用者の煩雑感を回避できて、鼻毛カッターの使用感を向上できたものである。なお、鼻毛の切屑は主体部４の空気流路５の手前でフィルタ３にて捕集されるから、主体部４中に鼻毛の切屑が入り込むことが防止されている。特に、本例の鼻毛カッターでは、主体部４に取付けたフィルタ３に対して刃部２が取付けられた構造のため、フィルタ３無しでは刃部２による鼻毛の切断が行うことができず、鼻毛の切屑の主体部４中への侵入が確実に防止されている。また、このフィルタ３はファン７等に邪魔されずに本体１から外して清掃できるから、鼻毛カッターの手入れも簡単に行うことができるようにされている。
【００２２】
また、可動刃３１とファン７とを同一のモータ８で兼用して駆動させているため、鼻毛カッターの小型化も図られている。ここで、ファン７によって空気流路５に発生させる空気流を強くするためには高出力の大型のファン７を用いることも考えられるが、本例では、モータ軸１６よりもファン７の回転速度を向上させる速度変換部２４を介してモータ８とファン７とを連結したことで、可動刃３１に適した回転速度で駆動されるモータ８によってもファン７には高出力を得るための回転速度を確保できるようにされており、つまり小型のファン７でも高出力を確保できたためにファン７の小型化が図られ、鼻毛カッターの小型化に寄与している。
【００２３】
また、本体１の上下に亙って形成された空気流路５は刃部２やモータ８が配設された主体部４を貫通するように形成されており、換言すると空気流路５には刃部２やモータ８や電池９が臨むように配設されているから、ファン７の駆動にて空気流路５に流れる空気流によって、刃部２やモータ８や電池９が冷却されるようにされ、刃部２やモータ８や電池９の安定稼動や長寿命化が図られている。更に言うと、本例の空気流路５はその吸入口５ａと排出口５ｂの底排出口５１とが一直線上に位置していて風が抜け易く、この吸入口５ａと底排出口５１とを結ぶ間には、特に熱を持ちやすい刃部２における固定刃３０と可動刃３１との摺接部分や挿入突部４１の内周面と振れ止め突起４３との摺接部分やモータ８が配設されているため、風通しを良くした空気流路５を流れる空気流によって特に刃部２やモータ８を効果的に冷却することが可能にされているのである。
【００２４】
また、空気流路５の排出口５ｂは本体１の一端部のファン７近傍の部位と本体１の他端部とにそれぞれ設けられているため、ファン７を正常に稼動させるために充分な流路面積の空気流路５の排気経路が確保されている。ここで、使用者は刃部２を鼻孔に正確に挿入するために刃部２近傍の本体１を把持するのであり、このとき把持した手によって本体１のファン７近傍の部位に設けた空気流路５の排出口５ｂ１が塞がれてしまう事態がしばしば生じることとなるが、本例の鼻毛カッターでは、本体１の他端部に設けた空気流路５の排出口５ｂ２によってファン７による空気流の排気経路を確保できて、ファン７の正常稼動が可能にされているのである。更に言うと、本例の本体１の他端部に設けた空気流路５の排出口５ｂ２は、使用者が把持する把持面となる本体１の側面ではない本体１の後端面に設けた底排出口５１を有して構成されているから、この底排出口５１は把持した手によって塞がれることはなく、したがってファン７の正常稼動の確実性が向上されているのである。
【図面の簡単な説明】
【００２５】
【図１】本発明の実施の形態の例の鼻毛カッターの正面断面図である。
【図２】同上の鼻毛カッターの側面断面図である。
【図３】（ａ）は図２のＥ−Ｅ線断面図であり、（ｂ）は図２のＦ−Ｆ線断面図であり、（ｃ）は図２のＧ−Ｇ線断面図である。
【図４】同上の鼻毛カッターであり、（ａ）は正面図であり、（ｂ）は側面図であり、（ｃ）は（ｂ）の下面図である。
【図５】同上の刃部の分解斜視図である。
【図６】同上の鼻毛カッターの要部の分解斜視図である。
【符号の説明】
【００２６】
１  本体
２  刃部
３  フィルタ
４  主体部
５  空気流路
５ａ  吸入口
５ｂ  排出口
７  ファン
８  モータ
９  電池
２４  速度変換部
３０  固定刃
３１  可動刃
３２  外殻体
３７  鼻毛導入部
【図１】
2007044081.tif 000003
【図２】
2007044081.tif 000004
【図３】
2007044081.tif 000005
【図４】
2007044081.tif 000006
【図５】
2007044081.tif 000007
【図６】
2007044081.tif 000008